(57)【要約】【課題】複数の薬剤等を十分に混合することができ、それぞれの薬剤等の注出量を正確に計量することができ、混合する薬剤等の量を十分に大きくすることができる混合容器を提供すること。【解決手段】混合容器１は、略円筒状形状を有する容器本体３と、蓋５とを備えている。また、混合容器１は蓋５の代わりに塗布具１９を取り付けることができる。容器本体３の内部は、平板状の部材である仕切部材９により、収容部１１および収容部１３に仕切られている。【選択図】  図１
2004338725.tif 000002
【特許請求の範囲】
【請求項１】
容器本体と、
前記容器本体の内部において、前記容器本体の底面から、前記容器本体の高さの３０〜９５％の高さに至るまでの部分を２以上の領域に仕切る仕切部材と、
前記仕切部材の上方において、前記２以上の領域を連通する連通部と、
を有することを特徴とする混合容器。
【請求項２】
前記容器本体が可撓性を有することを特徴とする請求項１記載の混合容器。
【請求項３】
前記２以上の領域は、少なくともその一部において前記容器本体に面することを特徴とする請求項１または２に記載の混合容器。
【請求項４】
前記仕切部材は、前記容器本体から着脱可能であることを特徴とする請求項１〜３のいずれかに記載の混合容器。
【請求項５】
前記仕切部材は、前記容器本体の内部において、前記容器本体の底面から、前記容器本体の高さの３０〜９５％の高さに至るまでの部分を２の領域に仕切る平板状の部材であることを特徴とする請求項１〜４のいずれかに記載の混合容器。
【請求項６】
水平断面における前記２の領域の断面積比が、１：３〜３：１の範囲内にある所定の値に設定されていることを特徴とする請求項５に記載の混合容器。
【請求項７】
塗布具を備えることを特徴とする請求項５または６に記載の混合容器。
【請求項８】
前記塗布具が櫛付きコームであるとともに、前記櫛の属する平面と、前記仕切部材とが平行であることを特徴とする請求項７に記載の混合容器。
【請求項９】
毛髪化粧料の第１剤および第２剤の混合に用いられることを特徴とする請求項５〜８のいずれかに記載の混合容器。
【請求項１０】
前記第１剤および第２剤のうち少なくとも一方の粘度が３Ｐａ・ｓ以下であることを特徴とする請求項９に記載の混合容器。
【請求項１１】
前記毛髪化粧料が染毛剤または毛髪脱色剤であることを特徴とする請求項９または１０に記載の混合容器。
【発明の詳細な説明】
【０００１】
【発明の属する技術分野】
本発明は、例えば、染毛剤や毛髪脱色剤等を計量し、混合することができる混合容器に関する。
【０００２】
【従来の技術】
従来より、２剤を分離して収納することができる容器として、図１０に示す容器Ｐ１が知られている（特許文献１参照）。この容器Ｐ１の底から頂部（口部）にわたって、仕切部材Ｐ３が設けられており、容器Ｐ１の内部が２つの収容部Ｐ５、Ｐ７に分離されている。
【０００３】
従って、この容器Ｐ１は、使用時に混合する染毛剤や毛髪脱色剤の第１剤および第２剤を、収容部Ｐ５、Ｐ７に分離収容することができる。容器Ｐ１に収容した染毛剤や毛髪脱色剤を使用する場合には、計量カップに、第１剤および第２剤を所定量ずつ注出し、計量カップ内で混合する。
【０００４】
【特許文献１】特開２００３−２０４９８号（図１）
【０００５】
【発明が解決しようとする課題】
しかしながら、上記のように、第１剤と第２剤との混合を計量カップで行う方法では、薬剤がこぼれてしまうという理由から、計量カップを強く揺り動かすことができず、第１剤と第２剤とを十分に混合することができないという問題があった。
【０００６】
また、計量カップは、一般に、混合容器Ｐ１のキャップを用いることが多く、その場合の計量カップは容量が小さいので、少量の第１剤および第２剤しか混合できないという問題があった。
更に、図１０に示すような容器Ｐ１では、容器の構造上、第１剤と第２剤とを片方ずつ注出することが困難であり、第１剤と第２剤とを同時に計量カップに注出することになる。この方法では、第１剤と第２剤との混合比率が不正確になってしまうという問題があった。
【０００７】
本発明は以上の点に鑑みなされたものであり、複数の薬剤等を十分に混合することができ、それぞれの薬剤等の注出量を正確に計量することができ、混合する薬剤等の量を十分に大きくすることができる混合容器を提供することを目的とする。
【０００８】
【課題を解決するための手段及び発明の効果】
（１）請求項１の発明は、
容器本体と、前記容器本体の内部において、前記容器本体の底面から、前記容器本体の高さの３０〜９５％の高さに至るまでの部分を２以上の領域に仕切る仕切部材と、前記仕切部材の上方において、前記２以上の領域を連通する連通部と、を有することを特徴とする混合容器を要旨とする。
【０００９】
本発明の混合容器では、仕切部材により仕切られている２以上の領域を有しており、それら２以上の領域に、それぞれ、複数の薬剤等を正確な量だけ注出し、混合することができる。そのため、本発明の混合容器を用いれば、染毛剤や毛髪脱色剤等の薬剤の小分け使用を容易に行うことが出来る。
【００１０】
また、上記２以上の領域は、従来の方法で混合に用いられた計量キャップよりも容量を大きくすることができるので、十分な量の薬剤等を混合することができる。
更に、本発明の混合容器では、仕切部材は容器本体の底面から、容器本体の高さの３０〜９５％の高さに至るまでの部分に設けられているので、仕切部材の上方には、前記２以上の領域を連通する連通部を備えている。そのため、この連通部を介して、薬剤等の混合を迅速に行うことができる。また、混合容器は、例えば、注ぎ口を蓋により密閉すれば、収容物がこぼれることなく、強く振り動かすことができる。そのため、薬剤等を十分に混合させることができる。
【００１１】
・前記混合容器の材質は、耐薬品性、成形性に優れた合成樹脂を用いるのが望ましい。具体的には、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレン−酢酸ビニル共重合体けん化物（ＥＶＯＨ）、ポリアクリルニトリル、ポリエチレンテレフタレート（ＰＥＴ）、ポリプロピレン（ＰＰ）、ポリエステル、ポリ塩化ビニル及びナイロンが挙げられる。混合容器はこれらの材料のいずれかを単層で、又は二種以上を積層して、若しくは二種以上を混合して層状に形成されている。
【００１２】
・前記仕切部材の、容器本体の底部からの高さは、容器本体の高さに対し、３０〜９５％であるが、４０〜８０％（特に好ましくは５５％〜７０％）の範囲が好ましい。仕切部材の高さが３０％未満であると、十分な量の毛髪化粧料を収容することができない。一方、９５％を超えると、連通部が狭くなり、毛髪化粧料の混合が困難になる。
【００１３】
・本発明の液混合容器に収容する薬剤等としては、例えば、毛髪化粧料、その他の化粧料、薬品、食品等が挙げられる。
毛髪化粧料としては、染毛剤、毛髪脱色剤などが挙げられる。また、毛髪化粧料は２剤式のものが好ましい。毛髪化粧料の剤型は、混合性の点で少なくとも一方、好ましくは第２剤の粘度が、３Ｐａ・ｓ以下である液状、乳液状のものが好ましい。
【００１４】
例えば、２剤式の酸化染毛剤の場合、第１剤には酸化染料中間体などの染料、アルカリ剤等を配合したものが用いられ、第２剤には過酸化水素などの酸化剤等を配合したものが用いられる。第１剤の剤型は、クリーム状、乳液状、液状、粉末状など特に限定されない。
【００１５】
また、２剤式の毛髪脱色剤の場合、第１剤には前記酸化染毛剤の第１剤から染料を除いたものが用いられ、第２剤には前記酸化染毛剤の第２剤と同成分のものが用いられる。また、この毛髪脱色剤の場合も第１剤の剤型はクリーム状、乳液状、液状、粉末状など特に限定されず、第１剤が粉末状組成物である場合には過硫酸ナトリウム、過硫酸カリウム、過硫酸アンモニウムなどの過硫酸塩が酸化促進剤として第１剤に配合される。酸化促進剤の配合量は、毛髪脱色剤全体の１〜５０重量％となる量が好ましく、５〜２０重量％となる量がより好ましい。
（２）請求項２の発明は、
前記容器本体が可撓性を有することを特徴とする請求項１記載の混合容器を要旨とする。
【００１６】
本発明の混合容器では、容器本体が可撓性を有しているので、例えば、使用者が手で容器本体をスクイズすることにより、収容している薬剤等を迅速に注出することができる。
（３）請求項３の発明は、
前記２以上の領域は、少なくともその一部において前記容器本体に面することを特徴とする請求項１または２に記載の混合容器を要旨とする。
【００１７】
本発明の混合容器では、前記２以上の領域は、少なくともその一部において容器本体に面しているので、容器本体を通して、前記２以上の領域に注入された薬剤等の液面を目視にて確認することができる。そのため、薬剤等の注入量を正確に定めることができる。
（４）請求項４の発明は、
前記仕切部材は、前記容器本体から着脱可能であることを特徴とする請求項１〜３のいずれかに記載の混合容器を要旨とする。
【００１８】
本発明の混合容器では、仕切部材を取り外すことができるので、例えば、前記２以上の領域に薬剤等を注入した後、仕切部材を取り外し、薬剤等を混合することができる。こうすることにより、薬剤等の混合が一層容易になる。
（５）請求項５の発明は、
前記仕切部材は、前記容器本体の内部において、前記容器本体の底面から、前記容器本体の高さの３０〜９５％の高さに至るまでの部分を２の領域に仕切る平板状の部材であることを特徴とする請求項１〜４のいずれかに記載の混合容器を要旨とする。
【００１９】
本発明では、平板状の仕切部材により容器本体の内部が２の領域に仕切られているので、例えば、２剤式の薬剤等（例えば、染毛剤、毛髪脱色剤等の毛髪化粧料）の混合に用いることができる。
（６）請求項６の発明は、
水平断面における前記２の領域の断面積比が、１：３〜３：１の範囲内にある所定の値に設定されていることを特徴とする請求項５に記載の混合容器を要旨とする。
【００２０】
本発明の混合容器では、水平断面における前記２の領域の断面積比は、１：３〜３：１の範囲内にある所定の値である。そのため、例えば、前記２の領域のうちの１つに注入した薬剤等の液面高さと、他の領域に注入した薬剤等の液面高さが等しくなるようにすれば、２つの薬剤等の混合比を前記所定の値とすることができる。
【００２１】
・前記水平断面とは、混合容器に薬剤等を注入する際における水平断面をいう。
（７）請求項７の発明は、
塗布具を備えることを特徴とする請求項５または６に記載の混合容器を要旨とする。
【００２２】
本発明の混合容器は、塗布具を備えているので、混合容器としてだけではなく、塗布用容器としても使用することができる。
・前記塗布具としては、ノズル式アプリケータ（例えば、図２における１９）、櫛付きアプリケータなどが挙げられる。櫛付きアプリケータとしては櫛歯が上向きに延びるタイプのもの（縦型コーム、例えば、図５における２５）や櫛歯が横向きに延びるタイプのもの（横型コーム、例えば、図３における２３）が挙げられる。
（８）請求項８の発明は、
前記塗布具が櫛付きコームであるとともに、前記櫛の属する平面と、前記仕切部材とが平行であることを特徴とする請求項７に記載の混合容器を要旨とする。
【００２３】
本発明の混合容器は、櫛付きコーム（櫛付きアプリケータ）である塗布具を備えているので、薬剤等を塗布する操作と、髪を梳く操作とを両方行うことができる。
また、本発明の混合容器では、櫛の属する平面と、平板状の仕切部材とが平行であることより、図４及び図６に示すように、櫛の属する平面が塗布面に平行になるように櫛を塗布面に当接させると、使用者の指が容器本体を掴む位置は、仕切部材が当接していない部分となる。そのため、使用者が指で容器本体をスクイズするときに、仕切部材が邪魔になることがない。更に、使用者が無理に仕切部材が当接しない部分において容器本体を掴もうとして、塗布操作が行いにくくなってしまうようなことがない。
【００２４】
・前記櫛付きコームとしては、例えば、櫛歯が上向きに延びるタイプのもの（縦型コーム）や、櫛歯が横向きに延びるタイプのもの（横型コーム）が挙げられる。
（９）請求項９の発明は、
毛髪化粧料の第１剤および第２剤の混合に用いられることを特徴とする請求項５〜８のいずれかに記載の混合容器を要旨とする。
【００２５】
本発明では、毛髪化粧料の第１剤を、混合容器の２の領域のうちの一方に注入し、第２剤を混合容器の他方の領域に注入し、その後混合することにより、それら第１剤と第２剤とを混合することができる。
（１０）請求項１０の発明は、
前記第１剤および第２剤のうち少なくとも一方の粘度が３Ｐａ・ｓ以下であることを特徴とする請求項９に記載の混合容器を要旨とする。
【００２６】
本発明では、第１剤および第２剤のうちの少なくとも一方の粘度が３Ｐａ・ｓ以下であるので、第１剤と第２剤との混合が容易である。
（１１）請求項１１の発明は、
前記毛髪化粧料が染毛剤または毛髪脱色剤であることを特徴とする請求項９または１０に記載の混合容器を要旨とする。
【００２７】
本発明の混合容器は、染毛剤または毛髪脱色剤の第１剤および第２剤の混合に用いることができる。
また、混合容器に塗布具を取り付けると、混合終了後、そのまま、染毛剤または毛髪脱色剤の塗布容器として使用することができる。
【００２８】
【発明の実施の形態】
以下に本発明の混合容器の実施の形態の例（実施例）を説明する。
（実施例１）
ａ）まず、本実施例１の混合容器の構成を図１及び図２を用いて説明する。
【００２９】
混合容器１は、図１に示すように、略円筒状形状を有する容器本体３と、蓋５とを備えている。また、混合容器１は、図２に示すように、蓋５の代わりに塗布具１９を取り付けることができる。
上記容器本体３の材質は高密度ポリエチレンであって、その厚みは１．０ｍｍである。従って、この容器本体３は、手で握れば容易に変形させることができる（可撓性を有する）。また、容器本体３の側面７には、図示しない目盛りが設けられており、混合すべき材料を注入する際には、この目盛りを用いて、正確な量の注入が可能となる。
【００３０】
更に、容器本体３は、その内部において、容器本体３の底面４から、容器本体３の高さの７０％の高さに至るまでの部分に、平板状の部材である仕切部材９を備えている。この仕切部材９は容器本体３の長手方向に平行であって、仕切部材９の下端は底面４の１直径に当接している。また、仕切部材９の左右両端は、容器本体３の側面７に当接している。従って、仕切部材９は、容器本体３の底面４から、容器本体３の高さの７０％の高さに至るまでの部分を、２つの領域である収容部１１、収容部１３に仕切っている。
【００３１】
仕切部材９が容器本体３の内部を仕切ることにより生じる収容部１１、収容部１３は、容器本体３の内部において仕切部材９より上方の部分である連通部１５を介して連通している。また、収容部１１、収容部１３はそれぞれ、容器本体３の側面７に面している。更に、水平断面（図１の下面図での紙面に平行な面）における収容部１１、収容部１３の断面積比は１：１である。
【００３２】
容器本体３は、その上方に、上面が開口し、他の部分よりもやや細くなった円筒形の開口部１７を備えており、その開口部１７の外側には、ねじ溝１７ａが形成されている。この開口部１７は、その外側から蓋５をはめ込むことにより密封することができる。つまり、蓋５の内側には、ねじ溝１７ａに対応するねじ溝５ａが設けられており、このねじ溝５ａをねじ溝１７ａとを噛み合わせることにより、蓋５をはめ込むことができる。また、蓋５は容器本体３から容易に取り外すことができる。
【００３３】
また、容器本体３は、蓋５を取り外した状態で、塗布具１９を取り付けることができる。この塗布具１９は、図２に示すように、下方が開口した円筒形の本体部１９ａと、本体部１９ａの上面に設けられ、先端にゆく程細くなっている筒状の吐出口１９ｂと、本体部１９ｂの内側に形成されたねじ溝１９ｃとを備えている。このねじ溝１９ｃは、容器本体３のねじ溝１７ａと対応するものであるので、ねじ溝１９ｃとねじ溝１７ａとを噛み合わせ、塗布具１９を容器本体３に取り付けることができる。また、塗布具１９は容器本体３から容易に取り外すことができる。
【００３４】
ｂ）次に、前記ａ）の混合容器１を用いて染毛剤の１剤と２剤とを混合する方法を説明する。
まず、混合容器１の容器本体３から蓋５を取り外す。そして、容器本体３の開口部１７から、染毛剤の第１剤（粘度０．０５Ｐａ・ｓ）を、収容部１１に注入する。その注入量は、注入した第１剤の液面高さが仕切部材９の高さを超さない範囲で、所定の量とする。尚、第１剤の液面高さは、容器本体３の側面７を通して視認することができる。また、第１剤の注入量は、容器本体３の側面７に形成された目盛りにより計量することができる。
【００３５】
次に、染毛剤の第２剤（粘度０．１Ｐａ・ｓ）を、容器本体３の開口部１７から、収容部１３に注入する。その注入量は、第２剤の液面高さが、先に注入した第１剤の液面高さと等しくなる量とする。すると、水平断面における収容部１１と収容部１３の断面積は等しいので、第１剤と第２剤の注入量は等量となる。尚、第２剤の液面高さも、容器本体３の側面７を通して視認することができる。
【００３６】
その後、容器本体３の開口部１７に蓋５を取り付け密封する。この状態で密封容器１を上下に数回振る。すると、収容部１１に収容されていた第１剤と、収容部１３に収容されていた第２剤は、容器本体３内部の連通部１５を通じて均一に混合される。
【００３７】
ｃ）次に、前記ｂ）のようにして混合された染毛剤を毛髪に塗布する方法を説明する。
まず、容器本体３から蓋５を取り外す。次に、塗布具１９を容器本体３に取り付ける。そして、混合容器１を傾け、塗布具１９の吐出口１９ｂから染毛剤を吐出し、毛髪に塗布する。このとき、容器本体３は上述したように可撓性があるので、手で容易にスクイズすることにより、染毛剤の吐出を促進することができる。
【００３８】
ｄ）次に、本実施例１の混合容器が奏する効果を説明する。
▲１▼本実施例１の混合容器１では、第１剤を収容する収容部１１と、第２剤を収容する収容部１３とは分離されているので、第１剤および第２剤を、それぞれ正確な量だけ注出し、その後、混合することができる。そのため、染毛剤の小分け使用を容易に行うことが出来る。
【００３９】
また、収容部１１および収容部１３は、従来の方法で混合に用いられた計量キャップよりも容量を大きくすることができるので、十分な量の第１剤および第２剤を混合することができる。
▲２▼本実施例１の混合容器１は、連通部１５を備えているので、第１剤と第２剤との混合を迅速に行うことができる。また、混合容器１は、蓋５により密閉することができるので、収容物をこぼすことなく、強く振り動かすことができる。そのため、第１剤と第２剤とを十分に混合させることができる。
【００４０】
▲３▼本実施例１の混合容器１では、収容部１１および収容部１３は、それぞれ、容器本体３の側面７に面しているので、側面７を通して、収容部１１および収容部１３に注入された薬剤の量を目視にて確認することができる。そのため、第１剤と第２剤の注入量を正確に定めることができる。
【００４１】
▲４▼本実施例１の混合容器１では、水平断面における収容部１１および収容部１３の断面積比は１：１である。そのため、収容部１１に注入した第１剤の液面高さと、収容部１３に注入した第２剤の液面高さが等しくなるようにすれば、第１剤と第２剤の混合比を１：１とすることができる。
【００４２】
尚、仕切部材９の取り付け位置を変更することにより、水平断面における収容部１１および収容部１３の断面積比を、所定の値（例えば、１：３〜３：１の範囲内にある値）としておき、収容部１１に注入した第１剤の液面高さと、収容部１３に注入した第２剤の液面高さが等しくなるようにすれば、第１剤と第２剤の混合比を、上記の所定の値とすることができる。
【００４３】
▲５▼本実施例１の混合容器１は、塗布具１９を備えているので、混合容器としてだけではなく、塗布用容器としても使用することができる。
▲６▼本実施例１の混合容器１を用いて混合する第１剤と第２剤の粘度は３Ｐａ・ｓ以下であるので、第１剤と第２剤との混合が容易である。
【００４４】
▲７▼本実施例１の混合容器１は、染毛剤の第１剤および第２剤の混合に用いることができる。
（実施例２）
ａ）本実施例２の混合容器１の構成は、基本的には前記実施例１と同様である。ただし、本実施例２では、塗布具１９の代わりに、図３に示すように、櫛付きコーム型の塗布具２３を備えている。
【００４５】
この塗布具２３は、棒状の中心部２３ａと、中心部２３ａの下方に位置し、容器本体３の開口部１７に対して接続する接続部２３ｂと、中心部２３ａの長手方向に沿って一列に並ぶように立設された複数の櫛歯２３ｃとを備えている。この櫛歯２３ｃの属する平面（図３における紙面と平行な面）は、仕切部材９と平行である。
【００４６】
中心部２３ａの内部には、その長手方向に沿って、下端から上端付近まで続く空洞である供給路２３ｄが設けられている。この供給路２３ｄには、櫛歯２３ｃ内にそれぞれ形成された櫛歯内供給路２３ｅが連通している。この櫛歯内供給路２３ｅは、供給路２３ｄから櫛歯２３ｃの先端に向かって延びており、櫛歯２３ｃの先端からやや奥に入った位置に設けられた吐出口２３ｆにおいて外部につながっている。従って、塗布具２３を容器本体３に取り付けた場合、容器本体３内の収容物は、供給路２３ｄ、櫛歯内供給路２３ｅ、および吐出口２３ｆを経て、外部に吐出することができる。
【００４７】
ｂ）本実施例２の混合容器１を用いれば、前記実施例１と同様にして、染毛剤の１剤と２剤とを混合することができる。
ｃ）本実施例２の混合容器１を用いれば、次の様にして、上記ｂ）にて混合された染毛剤を毛髪に塗布することができる。
【００４８】
まず、容器本体３に塗布具２３を取り付ける。次に、図４に示すように、櫛歯２３ｃの属する平面（図３において紙面に平行な面）が塗布面（人の頭部）に平行となるように、櫛歯２３ｃを塗布面に当接させる。この状態で、混合容器１の下部を持ち上げるようにして混合容器１を傾けると、容器本体３内に収容されていた染毛剤が、供給路２３ｄおよび櫛歯内供給路２３ｅを経て吐出口２３ｆから吐出され、塗布面に塗布される。このとき、容器本体３を手でスクイズし、染毛剤の吐出を促進することができる。
【００４９】
尚、仕切部材９は櫛歯２３ｃの属する平面と平行であるので、櫛歯２３ｃを上記のようにして塗布面に当接させた場合、仕切部材９も塗布面に対し平行となる。そのため、仕切部材９が容器本体３の側面７に当接する部分は、図４における手前側および背面側である。一方、使用者の指は、通常、容器本体３の側面７のうち、図４における上側と下側を掴む。従って、使用者の指は、容器本体３の側面７のうち、仕切部材９が当接していない部分を掴むことになる。
【００５０】
ｄ）次に、本実施例２の混合容器が奏する効果を説明する。
▲１▼本実施例２の混合容器１は、櫛付きコーム型の塗布具２３を備えているので、染毛剤を塗布する操作と、髪を梳く操作とを両方行うことができる。
▲２▼本実施例２の混合容器１では、上記ｃ）で述べたように、使用者の指が容器本体３を掴む位置は、仕切部材９が当接していない部分となる。そのため、容器本体３をスクイズするときに、仕切部材９が邪魔になることがない。
【００５１】
また、無理に、仕切部材９が当接しない部分において容器本体３を掴もうとして、塗布操作が行いにくくなってしまうようなことがない。
▲３▼その他、本実施例２の混合容器は、前記請求項１のｃ）▲１▼〜▲７▼と同様の効果を奏することができる。
（実施例３）
ａ）本実施例３の混合容器１の構成は、基本的には前記実施例２と同様である。ただし、本実施例３では、塗布具として、図５に示す形状の櫛付きコーム型の塗布具２５を備えている。
【００５２】
この塗布具２５は、円筒状の中心部２５ａと、中心部２５ａの下方に位置し、容器本体３の開口部１７に対して接続する接続部２５ｂと、中心部２５ａの上方において上向きに立設された複数の櫛歯２５ｃとを備えている。この櫛歯２５ｃの属する平面（図５における紙面と平行な面）は、仕切部材９と平行である。
【００５３】
櫛歯２３ｃのそれぞれの内部には櫛歯内供給路２５ｄが形成されている。こ櫛歯内供給路２５ｄの下側（根本側）は、中心部２５ａの内部および接続部２５ｂの内部を通して外部につながっている。また、櫛歯内供給路２５ｅの上側（先端側）は、櫛歯２５ｃの先端からやや奥に入った位置に設けられた吐出口２５ｅにおいて外部につながっている。従って、塗布具２５を容器本体３に取り付けた場合、容器本体３内の収容物は、中心部２５ａの内部、櫛歯内供給路２５ｄ、および吐出口２５ｅを経て、外部に吐出することができる。
【００５４】
ｂ）本実施例３の混合容器１を用いれば、前記実施例１および実施例２と同様にして、染毛剤の１剤と２剤とを混合することができる。
ｃ）本実施例３の混合容器１を用いれば、次の様にして、前記ｂ）において混合された染毛剤を毛髪に塗布することができる。
【００５５】
まず、容器本体３に塗布具２５を取り付ける。次に、図６に示すように、櫛歯２５ｃが属する平面（図５において紙面に平行な面）が塗布面（人の頭部）に平行となるように、櫛歯２５ｃを塗布面に当接させる。この状態で、混合容器１の下部を持ち上げるようにして混合容器１を傾けると、容器本体３内に収容されていた染毛剤が、中心部２５ａの内部および、櫛歯内供給路２５ｄを経て吐出口２５ｅから吐出され、塗布面に塗布される。このとき、容器本体３を手でスクイズすることにより、染毛剤の吐出を促進することができる。
【００５６】
尚、仕切部材９は櫛歯２５ｃの属する平面と平行であるので、櫛歯２５ｃを上記のようにして塗布面に当接させた場合、仕切部材９も塗布面に対し平行となる。そのため、仕切部材９が容器本体３の側面７に当接する部分は、図６における手前側および背面側である。一方、使用者の指は、通常、容器本体３の側面７のうち、図６における上側と下側を掴む。従って、使用者の指は、容器本体３の側面７のうち、仕切部材９が当接していない部分を掴むことになる。
【００５７】
ｄ）本実施例３の混合容器は、前記実施例２と同様の効果を奏する。
（実施例４）
本実施例４の混合容器１の構成は、基本的には前記実施例１と同様である。ただし、本実施例４では、仕切部材９の形状および取り付け位置が、図７のａ〜ｃのいずれかに示すものである。尚、図７は、混合容器１の下面図である。
【００５８】
図７ａに示す仕切部材９は、平板状であり、水平断面（図７ａにて紙面に平行な断面）における収容部１１と収容部１３との断面積比が、１：３となる位置に取り付けられている。
尚、前記実施例１と同様に、仕切部材９は容器本体３の長手方向と平行であり、仕切部材９の下端は、容器本体３の底面４に当接し、仕切部材９の左右両端は、容器本体３の側面７に当接している。また、仕切部材９の高さは前記実施例１と同じである。
【００５９】
図７ｂに示す仕切部材９は、円筒状の形状を有し、混合容器１の底面方向から見て、容器本体３の中心に位置している。従って、この仕切部材９により、容器本体３の内部は、仕切部材９の内側である収容部１１と、仕切部材９の外側である収容部１３とに仕切られている。水平断面（図７ｂにて紙面に平行な断面）における収容部１１と収容部１３との断面積比は１：３である。
【００６０】
尚、仕切部材９の長手方向は、容器本体３の長手方向と平行であり、仕切部材９の下端は、容器本体３の底面４に当接している。また、仕切部材９の高さは前記実施例１と同様である。
図７ｃに示す仕切部材９は、箱形の形状を有し、混合容器１の底面方向から見て、容器本体３の中心に位置している。従って、この仕切部材９により、容器本体３の内部は、仕切部材９の内側である収容部１１と、仕切部材９の外側である収容部１３とに仕切られている。仕切部材９に垂直な断面における収容部１１と収容部１３との断面積比は、１：３である。
【００６１】
尚、仕切部材９の長手方向は、容器本体３の長手方向と平行であり、仕切部材９の下端は、容器本体３の底面４に当接している。また、仕切部材９の高さは前記実施例１と同様である。
本実施例４の混合容器１は、前記実施例１のｄ）の項における▲１▼、▲２▼、▲５▼、▲６▼、▲７▼の効果を奏することができる。
【００６２】
また、図７ａに示す仕切部材９を備える場合には、収容部１１と収容部１３は容器本体３の側面７に面しているので、側面７を通して、収容部１１および収容部１３に注入された薬剤の量を目視にて確認することができ、第１剤と第２剤の注入量を正確に定めることができる。
【００６３】
更に、本実施例４では、水平断面における収容部１１、収容部１３の断面積比が１：３であるので、収容部１１に注入した第１剤の液面高さと、収容部１３に注入した第２剤の液面高さが等しくなるようにすれば、第１剤と第２剤の混合比を、１：３の比率で混合することができる。
（実施例５）
本実施例５の混合容器１の構成は、基本的には前記実施例１と同様である。ただし、本実施例５では、図８に示すように、容器本体３の内径が、開口部１７を含めて同一である。
【００６４】
また、容器本体３の側面７において、仕切部材９が当接する位置には、それぞれ、一対の板状部材１４ａ、１４ｂを所定の間隔を空けて配置して成る支持部１４が設けられている。この支持部１４を構成する板状部材１４ａ、１４ｂの間隔は、仕切部材９の厚みに対応しており、仕切部材９の左右両端を、板状部材１４ａ、１４ｂの間に差し込むことにより、仕切部材９を容器本体３に対して固定することができる。また、仕切部材９の左右両端を（例えば仕切部材９を上方に引き出すことにより）支持部１４から外し、仕切部材９を開口部１７を通して容器本体３から取り外すことができる。尚、本実施例５では、上述したように開口部１７の内径が容器本体３の他の部分の内径と同一であるので、開口部１７を通して仕切部材９の着脱を行うことが出来る。
【００６５】
本実施例５の混合容器１は、前記実施例１と同様の効果を奏することができる。
更に、本実施例５の混合容器１では、仕切部材９を容易に取り外すことができるので、例えば、第１剤と第２剤とを注入した後、仕切部材９を取り外し、第１剤と第２剤とを混合することができる。こうすることにより、第１剤と第２剤との混合が一層容易になる。
（実施例６）
本実施例６の混合容器１の構成は、基本的には前記実施例１と同様である。ただし、本実施例６では、仕切部材９の形状および取り付け位置が、図９に示すものである。尚、図９は、混合容器１の下面図である。
【００６６】
仕切部材９は、中心部９ａと、中心部９ａからから３方向に放射状に延びる３枚の仕切板９ｂとから構成される。この三枚の仕切板９ｂは、それぞれ、容器本体３の側面７に当接している。従って、容器本体３の内部は、仕切部材９により、３つの領域である収容部２７、２９、３１に仕切られている。これら収容部２７、２９、３１の水平断面（図９にて紙面に平行な断面）における断面積比は１：１：１である。尚、仕切部材９の下端は、容器本体３の底面に当接しており、仕切部材９の高さは前記実施例１と同様である。
【００６７】
本実施例６の混合容器１は、第１剤〜第３剤を等量ずる混合するために用いることができる。つまり、収容部２７、２９、３１にそれぞれ、第１剤〜第３剤を液面の高さが等しくなるように注入する。すると、第１剤〜第３剤の注入量は均等になる。そして、前記実施例１と同様に、蓋５により容器本体３を密封してから混合すると、第１剤〜第３剤を等量ずつ混合することができる。
【００６８】
尚、仕切部材９の形状を変更することにより（例えば、３枚の仕切部材ｂの成す角度を変更することにより）、収容部２７、２９、３１の断面積比を１：１：１以外の比率に設定することもできる。その場合は、第１剤〜第３剤の液面が等しくなるように注入した際の第１剤〜第３剤の混合比は、そのように設定した比率となる。
【００６９】
尚、本発明は前記実施例になんら限定されるものではなく、本発明を逸脱しない範囲において種々の態様で実施しうることはいうまでもない。
・前記実施例１〜５において、混合容器１を用いて混合する薬剤は、毛髪脱色剤であってもよい。
【００７０】
・前記実施例１〜６において、容器本体３の内部または仕切部材９の表面には、薬剤等の混合を促進するための攪拌部材を設けることができる。この攪拌部材としては、例えば、板状、棒状等の形状を有する突起物が挙げられる。
・前記実施例９において、仕切部材９は、容器本体３の内部を４以上の領域に仕切るものであってもよい。
【図面の簡単な説明】
【図１】実施例１混合容器の構成を示す説明図である。
【図２】実施例１混合容器の構成を示す説明図である。
【図３】実施例２混合容器の構成を示す説明図である。
【図４】実施例２混合容器の使用状態を示す説明図である。
【図５】実施例３混合容器の構成を示す説明図である。。
【図６】実施例３混合容器の使用状態を示す説明図である。
【図７】実施例４の混合容器の構成を示す説明図である。
【図８】実施例５の混合容器の構成を示す説明図である。
【図９】実施例６の混合容器の構成を示す説明図である。
【図１０】従来の混合容器の構成を示す説明図である。
【符号の説明】
１・・・混合容器
３・・・容器本体
５・・・蓋
７・・・側面
９・・・仕切部材
１１、１３・・・収容部
１４・・・支持部
１５・・・連通部
１９、２３、２５・・・塗布具
【図１】
2004338725.tif 000003
【図２】
2004338725.tif 000004
【図３】
2004338725.tif 000005
【図４】
2004338725.tif 000006
【図５】
2004338725.tif 000007
【図６】
2004338725.tif 000008
【図７】
2004338725.tif 000009
【図８】
2004338725.tif 000010
【図９】
2004338725.tif 000011
【図１０】
2004338725.tif 000012